(57)【要約】      （修正有）【課題】既設のターンキャップを利用して、複数のバナーを単一の機構に具設したバナーの支持構造を提供する。【解決手段】主として、ターンキャップ６とポールキャップハブ４とポールキャップハブ５とまくれストッパー９により構成する。テーパで断面が多角形の形状を有するバナー棒取付孔にバナー棒７１ａを４方向に嵌挿したポールトップハブ４をターンキャップ６に取付ける。ターンキャップ６は、ポール２の上端部に挿入されるので、ポールキャップハブ４はポールの軸回りに回転することができる。テーパで断面が多角形の形状を有するバナー棒取付孔にバナー棒７１ｂを４方向に嵌挿したポールトップハブ５を、ポール下部１の下端部から挿入する。バナー８をバナー棒７１ａとバナー棒７１ｂに掛架する。ポールキャップハブ５の中心の孔の直径はポールに対して充分大きいので、ポールキャップハブ５は、ポールキャップハブ４の回転に追従して回転する。【選択図】図１
0003171166.tif 000002
【実用新案登録請求の範囲】
【請求項１】
ターンキャップのスリーブが幟旗ポールの最上端に挿設されている幟旗広告体において、
円盤側面上で中心に向かって深さ方向にテーパで断面が多角形の形状を有する複数のバナー棒取付孔に２乃至６個のバナー棒（上用）を嵌挿してなるポールキャップハブ（上用）と、
円盤側面上で中心に向かって深さ方向にテーパで断面が多角形の形状を有する複数のバナー棒取付孔に前記バナー棒（上用）と同数のバナー棒（下用）を嵌挿してなるポールキャップハブ（下用）と、
まくれストッパーとよりなり、
前記ポールキャップハブ（上用）を前記ターンキャップに装着し、
前記ポールキャップハブ（下用）を前記幟旗ポールの最下部より挿入し、
前記まくれストッパーを前記ポールキャップハブ（下用）上面に装挿してなるバナーの支持構造。
【考案の詳細な説明】
【技術分野】
【０００１】  本考案は、ターンキャップのスリーブが幟旗ポールの最上端に挿設されている幟旗広告体におけるバナーの支持構造に関するものである。
【背景技術】
【０００２】複数のバナーを掲示する手段は広く実用されている。代表的事例として、特許文献１，特許文献２を挙げることができる。【０００３】  実開平０７−３４１６４号公報（特許文献１）には、幟の少なくとも１辺を保持する腕棒が、竿本体の上端から３方向に延びるような構成が開示されている。【０００４】  特開２００８−２７６０６８号公報（特許文献２）には、支柱の上部に少なくとも４本の上部アームが、支柱から外側に等間隔で、放射状に設けられ、支柱の下部に少なくとも４本の下部アームが、上部アームに対向して、支柱から外側に等間隔で放射状に設けられ、上部アームと下部アームの間に幟を取り付ける構成が開示されている。
【先行技術文献】
【特許文献】
【０００５】
【特許文献１】実開平０７−３４１６４号公報
【特許文献２】特開２００８−２７６０６８号公報
【考案の概要】
【考案が解決しようとする課題】
【０００６】  特許文献１によれば、腕棒が３方向に延びている上端部は、竿本体に固定され、回転の自由度がないばかりでなく、幟の下端も上部に対向する腕棒の仕組みがなく幟が不安定であるという欠点がある。【０００７】  また、特許文献２によれば、アームは、アーム取付リングの係合突起に差し込んで固定しているが、差し込むだけで固定されるかどうか疑問が残る。【０００８】  本考案は、かかる欠点を解消したもので、既設のターンキャップを利用して、複数のバナーを単一の機構に具設したバナーの支持構造を提供することにある。
【課題を解決するための手段】
【０００９】  本考案は、ターンキャップのスリーブが幟旗ポールの最上端に挿設されている幟旗広告体における、バナーの支持構造であって、
円盤側面上で中心に向かって深さ方向にテーパで断面が多角形の形状を有する複数のバナー棒取付孔に２乃至６個のバナー棒（上用）を嵌挿してなるポールキャップハブ（上用）と、
円盤側面上で向かって深さ方向にテーパで断面が多角形の形状を有する複数のバナー棒取付孔に２乃至６個のバナー棒（下用）を嵌挿してなるポールキャップハブ（下用）と、
まくれストッパーとよりなり、
前記ポールキャップハブ（上用）を前記ターンキャップに装着し、
前記ポールキャップハブ（下用）を前記幟旗ポールの最下部より挿入し、
前記まくれストッパーを前記ポールキャップハブ（下用）上面に装挿してなることを特徴とする。
【考案の効果】
【００１０】  本考案のバナーの支持構造は、
簡単な手順と少ない構成部品で具現できる。
バナー棒取付孔が多角形の断面とテーパを有しているので、バナー棒を嵌挿するだけで、固定が確保される。
多バナー組立は、支柱まわりに回動できるので、どの方向からからも視認可能である。
多バナー組立は、２乃至６の間で、自由に選べる。
在来機のあるところなら、どこでも利用可能とする。
組立に専門知識を必要としない。
という利点がある。
【図面の簡単な説明】
【００１１】
【図１】本考案の実施形態による４方向のバナーの支持構造を有する総組立斜視図である。（実施例１）
【図２】本考案の実施形態によるバナーの支持構造を構成するポールトップハブ（上用）に（ａ）バナー棒（上用）４個（ｂ）バナー棒（上用）３個を嵌挿した正面図である。
【図３】本考案の実施形態によるバナーの支持構造を構成するポールトップハブ（下用）に（ａ）バナー棒（下用）４個（ｂ）バナー棒（下用）３個を嵌挿した正面図である。
【図４】本考案の実施形態によるバナーの支持構造を構成するポールトップハブ（上用）の（ａ）断面図（ｂ）平面図（ｃ）背面図である。
【図５】本考案の実施形態によるバナーの支持構造を構成するポールトップハブ（下用）の（ａ）断面図（ｂ）平面図（ｃ）背面図である。
【図６】本考案の実施形態によるバナーの支持構造を構成するポールトップハブ（上用）をターンキャップに装着した側面断面図である。
【図７】本考案の実施形態による３方向のバナーの支持構造を有する総組立の斜視図である。（実施例２）
【図８】本考案の実施形態による他の方法によるバナーの支持構造を有する総組立の説明図である。（実施例３）
【考案を実施するための最良の形態】
【００１２】ターンキャップは通常は、横竿を保持しバナーの上部を支えるとともにポール軸回りにバナーが回転できる機能を有している。この機能を活用することが本考案の主旨であり、この横竿に代えてポールキャップハブを使用し、この機能を引き継ぐものである。自立型幟機構において、バナー棒を装着したバブを、既に装着されているターンキャップか或いは趣旨に適合する新ターンキャップに、装着換えするだけの簡単な作業で、本考案を具現化した。本明細書に記載の寸法は、括弧内で示し、概略値であり、単位はｍｍである。
【実施例１】
【００１３】  図１は、本考案の実施形態による４方向のバナーの支持構造を有する総組立斜視図である。図１によって、本考案による「バナーの支持構造」の概略を述べる。
「バナーの支持構造」の主体は、ターンキャップ６とポールキャップハブ（上用）４とポールキャップハブ（下用）５とまくれストッパー９が構成要素である。バナー棒の数は、３あるいは４が実用的であるので、それについて述べる。
バナー棒７１ａを４方向に嵌挿したポールトップハブ（上用）４をターンキャップ６に取付ける。ターンキャップ６は、ポール２の上端部に挿入されるので、ポールキャップハブ（上用）４はポールの軸回りに回転することができる。バナー棒７１ｂを４方向に嵌挿したポールトップハブ（下用）５を、ポール下部１の下端部から挿入する。ポールキャップハブ（下用）５の中心の孔の直径はポールの外径に対して充分大きいので、バナー８をバナー棒７１ａとバナー棒７１ｂに掛架したとき、ポールキャップハブ（下用）５は、ポールキャップハブ（上用）４の回転に追従して回転する自由度を有する。まくれストッパー９をポールキャップハブ（下用）５の上面位置でポール１に嵌装するので、風などによってバナーがあおられてもポールキャップハブ（下用）５がポール軸に沿って上昇することがない。
各構成要素の作用は図２以降の通りである。【００１４】図２は、本考案の実施形態によるバナーの支持構造を構成するポールトップハブ（上用）４に、（ａ）バナー棒（上用）７１ａを４個（ｂ）バナー棒（上用）７１ａを３個  嵌挿する正面図である。バナー棒（上用）７１ａは、基準位置を示す目盛り４５を起点として、矢印７２ａに沿ってポールキャップハブ（上用）４のバナー棒取付孔４３に嵌挿する。各バナー棒（上用）７１ａの他の端には、バナー８を装着した後、ヘッドパーツ７３を挿入し、バナー８の逸脱を防ぐ。【００１５】バナー棒の形状はパイプであって、太さは（１２）、長さは、バナーの巾によって決まるが、図３（ａ）を除き、（２００〜３００）程度である。バナー棒の材質は、熱可塑性樹脂である。バナー棒の数は、バナーの内容と視認性によって決まる。【００１６】図３は、本考案の実施形態によるバナーの支持構造を構成するポールトップハブ（下用）５に、（ａ）バナー棒（下用）７１ｂを４個（ｂ）バナー棒（下用）７１ｂを３個  嵌挿する正面図である。バナー棒（下用）７１ｂは、基準位置を示す目盛り５５を起点として、矢印７２ｂに沿ってポールキャップハブ（下用）５のバナー棒取付孔５３に嵌挿する。各バナー棒（下用）７１ｂの他の端には、バナー８を装着した後、ヘッドパーツ７３を挿入し、バナー８の逸脱を防ぐ。【００１７】図４は、本考案の実施形態によるバナーの支持構造を構成するポールトップハブ（上用）４の（ａ）断面図（ｂ）平面図（ｃ）背面図である。
（ａ）は、ポールトップハブ（上用）４の断面図である。ポールトップハブ（上用）４は円盤状をなし、円盤の厚さは（１７．５）、ターンキャップ取付孔４１の内径は（２３）で、ターンキャップ６のターン部ネジに緩装できる寸法であり、孔４２の内径は（３０）、深さは（１２．５）である。
バナー棒取付孔４３は、８個、断面は多角形、内径（１２．５）、奥行き（２６）、テーパは、（（１２．５−１１．５）／２６））である。多角形の角数は、６から１０が望ましい。
多角形の役割は、バナー棒をバナー棒取付孔に嵌挿したとき、バナー棒の周辺が、角の頂点になじみ、バナー棒の不要の回転を防ぐ効果がある。テーパの役割は、バナー棒を挿入したとき、拘止を確実にする効果がある。
（ｂ）は、ポールトップハブ（上用）４の平面図である。ポールトップハブ（上用）４の直径は（８５）。表面に、バナー棒の押さえネジ孔４４と基準位置印４５を有する。材質は、熱可塑性樹脂である。
（ｃ）は、ポールキャップハブ（上用）４の背面図である。表面には、基準位置印４６，４７、４８を有する。基準位置印４６、４７は、バナー棒が４個の場合であり、基準位置印４７、４８は、バナー棒が３個の場合である。【００１８】図５は、本考案の実施形態によるバナーの支持構造を構成するポールトップハブ（下用）５の（ａ）断面図（ｂ）平面図（ｃ）背面図である。
（ａ）は、ポールトップハブ（下用）５の断面図である。ポールトップハブ（下用）５は円盤状をなし、円盤の厚さは（１７．５）、孔５１の内径は（２９．５）で、ポール１に緩装できる寸法である。
バナー棒取付孔５３は、８個、断面は多角形、内径（１２．５）、奥行き（２６）、テーパは、（（１２．５−１１．５）／２６））である。多角形とテーパの役割は、図４の項で述べたので、省略する。
（ｂ）は、ポールトップハブ（下用）５の平面図である。ポールトップハブ（下用）５の直径は（８５）。表面に、バナー棒の押さえネジ孔５４と基準位置印５５を有する。材質は、熱可塑性樹脂である。
（ｃ）は、ポールキャップハブ（下用）５の背面図である。表面には、基準位置印５６，５７、５８を有する。基準位置印５６、５７は、バナー棒が４個の場合であり、基準位置印５７、５８は、バナー棒が３個の場合である。【００１９】図６は、本考案の実施形態によるバナーの支持構造を構成するポールトップハブ（上用）４をターンキャップ６に装着し、ターンキャップ６のターンスリーブ部６１をポール２の上端に挿入した図の断面図である。
ポールトップハブ（上用）４のターンキャップ取付孔４１を、ターンネジ部６２に合わせ、キャップネジ６３で締め込む。
ポールトップハブ（上用）４の孔４２の孔径は、ターンスリーブ部６１の外径より大きいので、ポールキャップハブ（上用）４は、回転を妨げられない。【００２０】以上、本考案の「バナーの支持構造」の構成要素の構造と機能を述べた。次に、「バナーの支持構造」キットを使って、完成までの手順を述べる。
１．バナー棒の取付
バナー棒７１をポールキャップハブ４，５のバナー棒取付孔４３，５３に嵌挿する。４方向の場合は、図２（ａ）、図３（ａ）に示す。３方向の場合は、図２（ｂ）、図３（ｂ）に示す。バナー棒取付孔４３．５３は断面が多角形であり、奥行きはテーパ状になっているので、差し込んだだけでバナー棒は固定されるが、必要があれば、孔４４，５４を利用して、バナー棒をねじ止めする。
２．既存（使用中）の幟ポールから、ターンキャップを外す。（寸法、機能がキットに付属のものと同じであれば、そのまま使用できる）
３．ポールキャップハブ（上用）４を図６に従ってターンキャップ６のターンネジ部６２に嵌挿する。
４．キャップネジ６３でポールキャップハブ（上用）４をターンネジ部６２に締め込む。
５．ターンスリーブ部６１をポール２の上端に差し込む。
６．ポールキャップハブ（下用）５の面５２を上にして、ポール１の下端から通す。
７．バナー８の上端部をバナー棒７１ａに通す。
８．バナー８の下端部をバナー棒７１ａに対向するバナー棒７１ｂに通す。
９．調整ネジ３によって、ポールの高さ調整を行い、バナー８の弛みを除く。
１０．ヘッドパーツ７３をバナー棒の端末に挿入し、バナー８の脱落を防ぐ。
１１．まくれストッパー９を、ポール１でポールキャップハブ（下用）５の上面に嵌挿し、ポールキャップハブ（下用）５のまくれ上がりを防ぐ。
【実施例２】
【００２１】図７は、本考案の実施形態による３方向のバナーの支持構造を有する総組立の斜視図である。３方向のバナーの支持構造の構成要素と構成要素間の作用は、４方向のバナーの支持構造と同じであるので説明は省略する。掲示面の角度が、４方向の場合は９０度、３方向の場合は１２０度であるので、視認性はそれだけよくなる。
【実施例３】
【００２２】図８は、本考案の実施形態による他の方法によるバナーの支持構造を有する総組立の説明図であり、ポールキャップハブ（下用）５に挿入するバナー棒に代えて、「バナー固定具１０」を挿入し、バナーの下端部をポールキャップハブ（下用）５につなぎ止めた図である。バナーの形状が自由度を増す利点がある。バナーの表面の表示内容と、バナーの形状は、不可分の関係であり、提示する商品の内容によって、さまざまな姿態が考えられる。ここに記載の図はその一例に過ぎない。
（ａ）は、２枚型で、バナーの外縁形状が下辺に亘って優美な曲線を描いたものである。（ｂ）は、４方型であって、バナーの外縁又は下辺形状が直線乃至は曲線で描かれたものである。（ｃ）は、バナーが３角形で、全体として３角錐の形状である。（ｄ）は、６枚型である。
【符号の説明】
【００２３】１，２  ポール
４  ポールキャップハブ（上用）
４１  ターンキャップ取付孔
４３、５３  バナー棒取付孔
５  ポールキャップハブ（下用）
６  ターンキャップ
７１、７１ａ、７１ｂ  バナー棒
８  バナー
９  まくれストッパー
１０  バナー固定具
【図１】
0003171166.tif 000003
【図２】
0003171166.tif 000004
【図３】
0003171166.tif 000005
【図４】
0003171166.tif 000006
【図５】
0003171166.tif 000007
【図６】
0003171166.tif 000008
【図７】
0003171166.tif 000009
【図８】
0003171166.tif 000010